【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
ジョブ情報に基づいてデジタル情報を処理するとともにジョブ情報の管理を行うシステムであって、
(a) 入力された複数のジョブ情報を格納する入力ジョブ管理部と、
(b) デジタル情報の処理を行う処理部と、
(c) 前記処理部に対応した処理部側ジョブ管理部と、
を備え、
前記入力ジョブ管理部が、
(a-1) 入力される複数のジョブ情報から、前記対応する処理部の仕様条件に適合するジョブ情報を選択する手段と、
(a-2) 選択されたジョブ情報を前記処理部側ジョブ管理部が取得可能なジョブ情報として格納する手段と、
を有し、
前記処理部側ジョブ管理部が、
(c-1) 前記複数のジョブ情報のうち当該処理部側ジョブ管理部に対応する処理部が取り扱うことができるジョブ情報を選択して取得する手段と、
(c-2) 取得されたジョブ情報に基づいて前記対応する処理部にデジタル情報の処理を実行させる手段と、
を有することを特徴とするシステム。
【請求項２】
請求項１に記載のシステムであって、
前記対応する処理部および前記処理部側ジョブ管理部の組合せが複数であることを特徴とするシステム。
【請求項３】
請求項１または２に記載のシステムであって、
前記処理部側ジョブ管理部が、
(c-3) 前記対応する処理部に関する管理情報を前記入力ジョブ管理部に報告する手段、
をさらに有することを特徴とするシステム。
【請求項４】
請求項１ないし３のいずれかに記載のシステムであって、
前記処理部側ジョブ管理部が、
(c-4) 前記取得する手段により取得されたジョブ情報に基づく処理を前記対応する処理部が実行することができるか否かを評価する手段、
をさらに有することを特徴とするシステム。
【請求項５】
請求項４に記載のシステムであって、
前記処理部側ジョブ管理部が、
(c-5) 前記対応する処理部の処理計画を格納する計画格納手段と、
(c-6) 前記評価する手段による評価結果が肯定的な場合に前記取得されたジョブ情報の処理計画を前記計画格納手段に登録する手段と、
をさらに有することを特徴とするシステム。
【請求項６】
請求項１ないし５のいずれかに記載のシステムであって、
ジョブ情報が外部処理装置による処理内容を含んでおり、
前記処理部側ジョブ管理部が、
(c-7) 前記対応する処理部において処理されたデジタル情報を用いる外部処理を当該処理部側ジョブ管理部に対応する外部処理装置に実行させる手段、
をさらに有することを特徴とするシステム。
【請求項７】
請求項６に記載のシステムであって、
(c-8) 前記取得する手段により取得されたジョブ情報に対応する外部処理を前記対応する外部処理装置が実行することができるか否かを予め評価する手段、
をさらに有することを特徴とするシステム。
【請求項８】
請求項１ないし７のいずれかに記載のシステムであって、
デジタル情報が画像データを含んでおり、
(d) 前記入力ジョブ管理部に入力されたジョブ情報に画像データの加工情報を含ませる前処理部、
をさらに備えることを特徴とするシステム。
【請求項９】
ジョブ情報に基づいてデジタル情報を処理するシステムであって、
(a) デジタル情報の処理を行う処理部と、
(b) 入力されたジョブ情報を少なくともデジタル情報の処理計画に基づいて評価する手段と、
(c) 前記評価する手段による評価結果に基づいて前記入力されたジョブ情報に基づくデジタル情報の処理を前記処理部に実行させる手段と、
を備えることを特徴とするシステム。
【請求項１０】
請求項９に記載のシステムであって、
(d) 前記処理部によるデジタル情報の処理に従って前記処理計画を更新する手段、
をさらに備えることを特徴とするシステム。
【請求項１１】
ジョブ情報に基づいてデジタル情報を処理するとともにジョブ情報の管理を行う方法であって、
(a) 入力ジョブ管理部が、複数のジョブ情報を格納する工程と、
(a-1) 前記入力ジョブ管理部が、前記複数のジョブ情報から前記対応する処理部の仕様条件に適合するジョブ情報を選択する工程と、
(a-2) 前記入力ジョブ管理部が、選択されたジョブ情報を前記処理部側ジョブ管理部が取得可能なジョブ情報として格納する工程と、
(b) 処理部側ジョブ管理部が、前記複数のジョブ情報のうち当該処理部側ジョブ管理部に対応する処理部が取り扱うことができるジョブ情報を選択して取得する工程と、
(c) 前記処理部側ジョブ管理部が、取得したジョブ情報に基づいて前記対応する処理部にデジタル情報の処理を実行させる工程と、
を有することを特徴とする方法。
【請求項１２】
請求項１１に記載の方法であって、
(d) 前記処理部側ジョブ管理部が、前記対応する処理部に関する管理情報を前記入力ジョブ管理部に報告する工程、
をさらに有することを特徴とする方法。
【請求項１３】
請求項１１または１２に記載の方法であって、
前記工程(b)が、
(b-1) 前記処理部側ジョブ管理部が、前記取得したジョブ情報に基づく処理を前記対応する処理部が実行することができるか否かを評価する工程、
を有することを特徴とする方法。
【請求項１４】
請求項１３に記載の方法であって、
前記工程(b)が、
(b-2) 前記工程(b-1)による評価結果が肯定的な場合に前記取得したジョブ情報の処理計画を計画格納手段に登録する工程、
をさらに有することを特徴とする方法。
【請求項１５】
請求項１１ないし１４のいずれかに記載の方法であって、
ジョブ情報が外部処理装置による処理内容を含んでおり、
(e) 前記処理部側ジョブ管理部が、前記対応する処理部において処理されたデジタル情報を用いる外部処理を当該処理部側ジョブ管理部に対応する外部処理装置に実行させる工程、
をさらに有することを特徴とする方法。
【請求項１６】
請求項１５に記載の方法であって、
前記工程(b)が、
(b-3) 前記処理部側ジョブ管理部が、前記取得したジョブ情報に対応する外部処理を前記対応する外部処理装置が実行することができるか否かを予め評価する工程、
を有することを特徴とする方法。
【請求項１７】
請求項１１ないし１６のいずれかに記載の方法であって、
デジタル情報が画像データを含んでおり、
(f) 前記入力ジョブ管理部が格納するジョブ情報に画像データの加工情報を含ませる工程、
をさらに有することを特徴とする方法。
【請求項１８】
ジョブ情報に基づいてデジタル情報を処理する方法であって、
(a) 入力されたジョブ情報を少なくともデジタル情報の処理計画に基づいて評価する工程と、
(b) 前記工程(a)による評価結果に基づいて前記入力されたジョブ情報に基づくデジタル情報の処理を処理部に実行させる工程と、
を有することを特徴とする方法。
【請求項１９】
請求項１８に記載の方法であって、
(c) 前記処理部によるデジタル情報の処理に従って前記処理計画を更新する工程、
をさらに有することを特徴とする方法。
【請求項２０】
ジョブ情報に基づいてデジタル情報を処理するとともにジョブ情報の管理を行うシステムとしてコンピュータ・システムを機能させるプログラムを記録した記録媒体であって、
(a) 入力された複数のジョブ情報を格納する入力ジョブ管理部と、
(b) デジタル情報の処理を行う処理部と、
(c) 前記処理部に対応した処理部側ジョブ管理部と、
を備え、
前記入力ジョブ管理部が、
(a-1) 入力される複数のジョブ情報から、前記対応する処理部の仕様条件に適合するジョブ情報を選択する手段と、
(a-2) 選択されたジョブ情報を前記処理部側ジョブ管理部が取得可能なジョブ情報として格納する手段と、
を有し、
前記処理部側ジョブ管理部が、
(c-1) 前記複数のジョブ情報のうち当該処理部側ジョブ管理部に対応する処理部が取り扱うことができるジョブ情報を選択して取得する手段と、
(c-2) 取得されたジョブ情報に基づいて前記対応する処理部にデジタル情報の処理を実行させる手段と、
を有するシステムとしてコンピュータ・システムを機能させるためのプログラムを記録したコンピュータ読み取り可能な記録媒体。
【請求項２１】
請求項２０に記載の記録媒体であって、
ジョブ情報が外部処理装置による処理内容を含んでおり、
前記処理部側ジョブ管理部が、
(c-3) 前記対応する処理部において処理されたデジタル情報を用いる外部処理を当該処理部側ジョブ管理部に対応する外部処理装置に実行させる手段、
をさらに有するシステムとしてコンピュータ・システムを機能させるためのプログラムを記録したコンピュータ読み取り可能な記録媒体。
【請求項２２】
ジョブ情報に基づいてデジタル情報を処理するシステムとしてコンピュータ・システムを機能させるプログラムを記録した記録媒体であって、
(a) デジタル情報の処理を行う処理部と、
(b) 入力されたジョブ情報を少なくともデジタル情報の処理計画に基づいて評価する手段と、
(c) 前記評価する手段による評価結果に基づいて前記入力されたジョブ情報に基づくデジタル情報の処理を前記処理部に実行させる手段と、
を備えるシステムとしてコンピュータ・システムを機能させるためのプログラムを記録したコンピュータ読み取り可能な記録媒体。
【手続補正２】
【補正対象書類名】明細書
【補正対象項目名】００１２
【補正方法】変更
【補正の内容】
【００１２】
【課題を解決するための手段】
請求項１の発明は、ジョブ情報に基づいてデジタル情報を処理するとともにジョブ情報の管理を行うシステムであって、(a) 入力された複数のジョブ情報を格納する入力ジョブ管理部と、(b) デジタル情報の処理を行う処理部と、(c) 前記処理部に対応した処理部側ジョブ管理部とを備え、前記入力ジョブ管理部が、(a-1) 入力される複数のジョブ情報から、前記対応する処理部の仕様条件に適合するジョブ情報を選択する手段と、(a-2) 選択されたジョブ情報を前記処理部側ジョブ管理部が取得可能なジョブ情報として格納する手段とを有し、前記処理部側ジョブ管理部が、(c-1) 前記複数のジョブ情報のうち当該処理部側ジョブ管理部に対応する処理部が取り扱うことができるジョブ情報を選択して取得する手段と、(c-2) 取得されたジョブ情報に基づいて前記対応する処理部にデジタル情報の処理を実行させる手段とを有する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
請求項３の発明は、請求項１または２に記載のシステムであって、前記処理部側ジョブ管理部が、(c-3) 前記対応する処理部に関する管理情報を前記入力ジョブ管理部に報告する手段をさらに有する。
【手続補正５】
【補正対象書類名】明細書
【補正対象項目名】００１６
【補正方法】変更
【補正の内容】
【００１６】
請求項４の発明は、請求項１ないし３のいずれかに記載のシステムであって、前記処理部側ジョブ管理部が、(c-4) 前記取得する手段により取得されたジョブ情報に基づく処理を前記対応する処理部が実行することができるか否かを評価する手段をさらに有する。
【手続補正６】
【補正対象書類名】明細書
【補正対象項目名】００１７
【補正方法】変更
【補正の内容】
【００１７】
請求項５の発明は、請求項４に記載のシステムであって、前記処理部側ジョブ管理部が、(c-5) 前記対応する処理部の処理計画を格納する計画格納手段と、(c-6) 前記評価する手段による評価結果が肯定的な場合に前記取得されたジョブ情報の処理計画を前記計画格納手段に登録する手段とをさらに有する。
【手続補正７】
【補正対象書類名】明細書
【補正対象項目名】００１８
【補正方法】変更
【補正の内容】
【００１８】
請求項６の発明は、請求項１ないし５のいずれかに記載のシステムであって、ジョブ情報が外部処理装置による処理内容を含んでおり、前記処理部側ジョブ管理部が、(c-7) 前記対応する処理部において処理されたデジタル情報を用いる外部処理を当該処理部側ジョブ管理部に対応する外部処理装置に実行させる手段をさらに有する。
【手続補正８】
【補正対象書類名】明細書
【補正対象項目名】００１９
【補正方法】変更
【補正の内容】
【００１９】
請求項７の発明は、請求項６に記載のシステムであって、(c-8) 前記取得する手段により取得されたジョブ情報に対応する外部処理を前記対応する外部処理装置が実行することができるか否かを予め評価する手段をさらに有する。
【手続補正９】
【補正対象書類名】明細書
【補正対象項目名】００２０
【補正方法】変更
【補正の内容】
【００２０】
請求項８の発明は、請求項１ないし７のいずれかに記載のシステムであって、デジタル情報が画像データを含んでおり、(d) 前記入力ジョブ管理部に入力されたジョブ情報に画像データの加工情報を含ませる前処理部をさらに備える。
【手続補正１０】
【補正対象書類名】明細書
【補正対象項目名】００２１
【補正方法】変更
【補正の内容】
【００２１】
請求項９の発明は、ジョブ情報に基づいてデジタル情報を処理するシステムであって、(a) デジタル情報の処理を行う処理部と、(b) 入力されたジョブ情報を少なくともデジタル情報の処理計画に基づいて評価する手段と、(c) 前記評価する手段による評価結果に基づいて前記入力されたジョブ情報に基づくデジタル情報の処理を前記処理部に実行させる手段とを備える。
【手続補正１１】
【補正対象書類名】明細書
【補正対象項目名】００２２
【補正方法】変更
【補正の内容】
【００２２】
請求項１０の発明は、請求項９に記載のシステムであって、(d) 前記処理部によるデジタル情報の処理に従って前記処理計画を更新する手段をさらに備える。
【手続補正１２】
【補正対象書類名】明細書
【補正対象項目名】００２３
【補正方法】変更
【補正の内容】
【００２３】
請求項１１の発明は、ジョブ情報に基づいてデジタル情報を処理するとともにジョブ情報の管理を行う方法であって、(a) 入力ジョブ管理部が、複数のジョブ情報を格納する工程と、(a-1) 前記入力ジョブ管理部が、前記複数のジョブ情報から前記対応する処理部の仕様条件に適合するジョブ情報を選択する工程と、(a-2) 前記入力ジョブ管理部が、選択されたジョブ情報を前記処理部側ジョブ管理部が取得可能なジョブ情報として格納する工程と、(b) 処理部側ジョブ管理部が、前記複数のジョブ情報のうち当該処理部側ジョブ管理部に対応する処理部が取り扱うことができるジョブ情報を選択して取得する工程と、(c) 前記処理部側ジョブ管理部が、取得したジョブ情報に基づいて前記対応する処理部にデジタル情報の処理を実行させる工程とを有する。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
請求項１２の発明は、請求項１１に記載の方法であって、(d) 前記処理部側ジョブ管理部が、前記対応する処理部に関する管理情報を前記入力ジョブ管理部に報告する工程をさらに有する。
【手続補正１５】
【補正対象書類名】明細書
【補正対象項目名】００２６
【補正方法】変更
【補正の内容】
【００２６】
請求項１３の発明は、請求項１１または１２に記載の方法であって、前記工程(b)が、(b-1) 前記処理部側ジョブ管理部が、前記取得したジョブ情報に基づく処理を前記対応する処理部が実行することができるか否かを評価する工程を有する。
【手続補正１６】
【補正対象書類名】明細書
【補正対象項目名】００２７
【補正方法】変更
【補正の内容】
【００２７】
請求項１４の発明は、請求項１３に記載の方法であって、前記工程(b)が、(b-2) 前記工程(b-1)による評価結果が肯定的な場合に前記取得したジョブ情報の処理計画を計画格納手段に登録する工程をさらに有する。
【手続補正１７】
【補正対象書類名】明細書
【補正対象項目名】００２８
【補正方法】変更
【補正の内容】
【００２８】
請求項１５の発明は、請求項１１ないし１４のいずれかに記載の方法であって、ジョブ情報が外部処理装置による処理内容を含んでおり、(e) 前記処理部側ジョブ管理部が、前記対応する処理部において処理されたデジタル情報を用いる外部処理を当該処理部側ジョブ管理部に対応する外部処理装置に実行させる工程をさらに有する。
【手続補正１８】
【補正対象書類名】明細書
【補正対象項目名】００２９
【補正方法】変更
【補正の内容】
【００２９】
請求項１６の発明は、請求項１５に記載の方法であって、前記工程(b)が、(b-3) 前記処理部側ジョブ管理部が、前記取得したジョブ情報に対応する外部処理を前記対応する外部処理装置が実行することができるか否かを予め評価する工程を有する。
【手続補正１９】
【補正対象書類名】明細書
【補正対象項目名】００３０
【補正方法】変更
【補正の内容】
【００３０】
請求項１７の発明は、請求項１１ないし１６のいずれかに記載の方法であって、デジタル情報が画像データを含んでおり、(f) 前記入力ジョブ管理部が格納するジョブ情報に画像データの加工情報を含ませる工程をさらに有する。
【手続補正２０】
【補正対象書類名】明細書
【補正対象項目名】００３１
【補正方法】変更
【補正の内容】
【００３１】
請求項１８の発明は、ジョブ情報に基づいてデジタル情報を処理する方法であって、(a) 入力されたジョブ情報を少なくともデジタル情報の処理計画に基づいて評価する工程と、(b) 前記工程(a)による評価結果に基づいて前記入力されたジョブ情報に基づくデジタル情報の処理を処理部に実行させる工程とを有する。
【手続補正２１】
【補正対象書類名】明細書
【補正対象項目名】００３２
【補正方法】変更
【補正の内容】
【００３２】
請求項１９の発明は、請求項１８に記載の方法であって、(c) 前記処理部によるデジタル情報の処理に従って前記処理計画を更新する工程をさらに有する。
【手続補正２２】
【補正対象書類名】明細書
【補正対象項目名】００３３
【補正方法】変更
【補正の内容】
【００３３】
請求項２０の発明は、ジョブ情報に基づいてデジタル情報を処理するとともにジョブ情報の管理を行うシステムとしてコンピュータ・システムを機能させるプログラムを記録した記録媒体であって、(a) 入力された複数のジョブ情報を格納する入力ジョブ管理部と、(b) デジタル情報の処理を行う処理部と、(c) 前記処理部に対応した処理部側ジョブ管理部とを備え、前記入力ジョブ管理部が、(a-1) 入力される複数のジョブ情報から、前記対応する処理部の仕様条件に適合するジョブ情報を選択する手段と、(a-2) 選択されたジョブ情報を前記処理部側ジョブ管理部が取得可能なジョブ情報として格納する手段とを有し、前記処理部側ジョブ管理部が、(c-1) 前記複数のジョブ情報のうち当該処理部側ジョブ管理部に対応する処理部が取り扱うことができるジョブ情報を選択して取得する手段と、(c-2) 取得されたジョブ情報に基づいて前記対応する処理部にデジタル情報の処理を実行させる手段とを有するシステムとしてコンピュータ・システムを機能させるためのプログラムを記録している。
【手続補正２３】
【補正対象書類名】明細書
【補正対象項目名】００３４
【補正方法】変更
【補正の内容】
【００３４】
請求項２１の発明は、請求項２０に記載の記録媒体であって、ジョブ情報が外部処理装置による処理内容を含んでおり、前記処理部側ジョブ管理部が、(c-3) 前記対応する処理部において処理されたデジタル情報を用いる外部処理を当該処理部側ジョブ管理部に対応する外部処理装置に実行させる手段をさらに有するシステムとしてコンピュータ・システムを機能させるためのプログラムを記録している。
【手続補正２４】
【補正対象書類名】明細書
【補正対象項目名】００３５
【補正方法】変更
【補正の内容】
【００３５】
請求項２２の発明は、ジョブ情報に基づいてデジタル情報を処理するシステムとしてコンピュータ・システムを機能させるプログラムを記録した記録媒体であって、(a) デジタル情報の処理を行う処理部と、(b) 入力されたジョブ情報を少なくともデジタル情報の処理計画に基づいて評価する手段と、(c) 前記評価する手段による評価結果に基づいて前記入力されたジョブ情報に基づくデジタル情報の処理を前記処理部に実行させる手段とを備えるシステムとしてコンピュータ・システムを機能させるためのプログラムを記録している。
【手続補正２５】
【補正対象書類名】明細書
【補正対象項目名】０２３６
【補正方法】変更
【補正の内容】
【０２３６】
【発明の効果】
請求項１ないし８、請求項１１ないし１７、並びに請求項２０および２１に記載の発明では、処理部側ジョブ管理部が当該処理部側ジョブ管理部に対応する処理部が取り扱うことができるジョブ情報を選定するので、入力ジョブ管理部の負担が軽減される。これにより、入力ジョブ管理部における処理が過大になることを防止するとともに処理部に適切なジョブ処理動作を行わせることができ、処理効率の向上を図ることができる。
【手続補正２６】
【補正対象書類名】明細書
【補正対象項目名】０２３８
【補正方法】変更
【補正の内容】
【０２３８】
また、請求項１および１１に記載の発明では、入力ジョブ管理部が入力されたジョブ情報から処理部側ジョブ管理部が取得できるジョブ情報を選択するので、入力ジョブ管理部が実際に管理するジョブ情報の数を予め低減することができる。これにより、入力ジョブ管理部の負担を低減することができ、効率的なジョブ情報の管理が実現される。
【手続補正２７】
【補正対象書類名】明細書
【補正対象項目名】０２３９
【補正方法】変更
【補正の内容】
【０２３９】
また、請求項３および１２に記載の発明では、処理部側ジョブ管理部に対応する処理部に関する管理情報が入力ジョブ管理部に報告されるので、入力ジョブ管理部側にてジョブの処理状況を把握することができる。
【手続補正２８】
【補正対象書類名】明細書
【補正対象項目名】０２４０
【補正方法】変更
【補正の内容】
【０２４０】
また、請求項４および１３に記載の発明では、処理部側ジョブ管理部がジョブ情報を自律的に取得して評価するので、入力ジョブ管理部の負担を軽減しつつ適切なジョブの管理が実現される。
【手続補正２９】
【補正対象書類名】明細書
【補正対象項目名】０２４１
【補正方法】変更
【補正の内容】
【０２４１】
また、請求項５および１４に記載の発明では、処理部側ジョブ管理部がジョブ情報を処理すべきジョブとして登録するので、入力ジョブ管理部の負担を軽減しつつ適切なジョブの管理が実現される。
【手続補正３０】
【補正対象書類名】明細書
【補正対象項目名】０２４２
【補正方法】変更
【補正の内容】
【０２４２】
また、請求項６、１５および２１に記載の発明では、デジタル情報の処理に加えてデジタル情報を用いる外部処理を外部処理装置に実行させることができる。
【手続補正３１】
【補正対象書類名】明細書
【補正対象項目名】０２４３
【補正方法】変更
【補正の内容】
【０２４３】
また、請求項７および１６に記載の発明では、外部処理装置が取り扱うことができるジョブ情報を処理部側ジョブ管理部が自律的に取得するので、入力ジョブ管理部の負担をさらに軽減することができる。
【手続補正３２】
【補正対象書類名】明細書
【補正対象項目名】０２４４
【補正方法】変更
【補正の内容】
【０２４４】
また、請求項８および１７に記載の発明では、加工情報を含まないジョブ情報を入力ジョブ管理部に入力することができる。
【手続補正３３】
【補正対象書類名】明細書
【補正対象項目名】０２４５
【補正方法】変更
【補正の内容】
【０２４５】
請求項９、１８および２２に記載の発明では、システムが少なくとも処理計画に基づいてジョブ情報を評価した上で処理を実行するので、ジョブ情報を入力する前に当該ジョブ情報を評価する必要がない。これによりジョブ情報の入力を迅速に行うことができるとともに効率的なジョブの処理を実現することができる。
【手続補正３４】
【補正対象書類名】明細書
【補正対象項目名】０２４６
【補正方法】変更
【補正の内容】
【０２４６】
また、請求項１０および１９に記載の発明では、ジョブ情報を入力する際に処理計画の修正を考慮する必要がなくなる。